(57)【要約】【課題】  長方形の吹出口の長手方向に気流の一部を偏向できるようにすることで、気流が流れる範囲を拡げて被空調室全体に気流を行き渡らせるようにし、被空調室全体の快適な空気調和を実現できるようにした空気調和機を提供する。【解決手段】  下面が開口された筐体１と、同筐体１の内部に設けられた熱交換器、送風機およびドレンパン７と、同ドレンパン７に対向して中央に吸込口を有し、同吸込口の周囲に吹出口１０ｂを有して前記筐体１の開口を閉塞する化粧パネル１０とを備えた空気調和機において、前記ドレンパン７は、前記吹出口１０ｂに連通する吹出通風口７ａを備え、同吹出通風口７ａの長手方向の両側壁７ｈに気流の一部を偏向する偏向部を設けた。【選択図】  図３
2008249162.tif 000002
【特許請求の範囲】
【請求項１】
下面が開口された筐体と、同筐体の内部に設けられた熱交換器、送風機およびドレンパンと、同ドレンパンに対向して中央に吸込口を有し、同吸込口の周囲に吹出口を有して前記筐体の開口を閉塞する化粧パネルとを備えた空気調和機において、
前記ドレンパンは、前記吹出口に連通する吹出通風口を備え、同吹出通風口の長手方向の両側壁に気流の一部を偏向する偏向部を設けてなることを特徴とする空気調和機。
【請求項２】
前記偏向部は、前記両側壁上下の中央部を膨出してなることを特徴とする請求項１に記載の空気調和機。
【請求項３】
前記偏向部は、前記両側壁の少なくとも一部を前記吹出口に向けて拡開してなることを特徴とする請求項１に記載の空気調和機。
【発明の詳細な説明】
【技術分野】
【０００１】
本発明は、空気調和機に係わり、より詳細には、長方形の吹出口の長手方向に気流の一部を偏向できるようにした構造に関する。
【背景技術】
【０００２】
従来の空気調和機は、特開２００４−２２５９７２号公報に添付された図１乃至図５に示すように、室内に空気を吹き出す二列の長方形の吹出口を有する空気調和機において、空調された空気供給手段の送風供給口から前記吹出口までを繋ぐダクトであって、該ダクトは前記二列の吹出口に連接する通風路を単一の通風路にして前記空調供給手段の送風供給口に連接し、前記吹出口の近傍には吹出口での風量を均一にするための邪魔板と内壁膨出部を設け、前記送風供給口と吹出口までを発泡スチロールでダクト全体を一体成形し、該ダクトの発泡スチロールは断熱作用を有する厚さとし、前記吹出口外枠は前記発泡スチロールの下部表面を覆う薄板のパネルからなる構成が開示されていた（例えば、特許文献１参照。）。
【０００３】
上述した構成で、前記吹出口に内壁膨出部を設けたことによって、同内壁膨出部に沿って気流が流れるコアンダ効果により、同吹出口の短手方向に気流の一部を偏向させて略水平に吹き出すことができるようになる。
【０００４】
しかしながら、天井埋込型の空気調和機において、吸込口から吸い込まれた空気は、熱交換器により熱交換されたのち、通風路の側壁に当たることで方向転換されて吹出口に向かうことになり、図７に示す矢印ｂのように、ドレンパンに備えた吹出通風口７ａから化粧パネルに備えた吹出口１０ｂに向かう気流は、同吹出口１０ｂの長手方向の内壁面７ｈから外側前方に拡がらないで、ほぼ直線的に流れ出る構成になっている。
【０００５】
これにより、前記吹出口１０ｂからの吹出空気は、図４に破線で示す気流の吹出範囲Ｂのように直線的に吹き出されることになり、気流が流れる範囲を前記吹出口１０ｂ前方の長手方向に拡げて被空調室全体に行き渡らせるということが困難になって、被空調室全体の快適な空気調和を実現しにくいという問題点を有していた。
【特許文献１】特開２００４−２２５９７２号公報
【発明の開示】
【発明が解決しようとする課題】
【０００６】
そこで、本発明は上述した課題を解決するためになされたものであって、その目的は、長方形の吹出口の長手方向に気流の一部を偏向できるようにすることで、気流が流れる範囲を拡げて被空調室全体に気流を行き渡らせるようにし、被空調室全体の快適な空気調和を実現できるようにした空気調和機を提供することにある。
【課題を解決するための手段】
【０００７】
上述した目的を達成するため、本発明は以下に示す特徴を備えている。
【０００８】
下面が開口された筐体と、同筐体の内部に設けられた熱交換器、送風機およびドレンパンと、同ドレンパンに対向して中央に吸込口を有し、同吸込口の周囲に吹出口を有して前記筐体の開口を閉塞する化粧パネルとを備えた空気調和機において、
前記ドレンパンは、前記吹出口に連通する吹出通風口を備え、同吹出通風口の長手方向の両側壁に気流の一部を偏向する偏向部を設けてなることを特徴としている。
【０００９】
また、前記偏向部は、前記両側壁上下の中央部を膨出してなることを特徴としている。
【００１０】
また、前記偏向部は、前記両側壁の少なくとも一部を前記吹出口に向けて拡開してなることを特徴としている。
【発明の効果】
【００１１】
本発明によれば、長方形の吹出口の長手方向に気流の一部を偏向できる構成にしたことで、気流が流れる範囲を拡げて被空調室全体に気流を行き渡らせるようにし、被空調室全体の快適な空気調和を実現できるようにした空気調和機を提供できる。
【発明を実施するための最良の形態】
【００１２】
次に、本発明の実施形態について図面を参照しながら説明する。
【００１３】
図１は本発明による空気調和機の分解斜視図であり、図２は本発明による空気調和機を組立状態にした図１に示すＡ−Ａ位置の断面図であり、図３は本発明による空気調和機の要部説明図で、（Ａ）は組立状態にした図１に示すＢ−Ｂ位置の断面図、（Ｂ）は一例を示す拡大断面図、（Ｃ）は他の例を示す拡大断面図であり、図４は本発明による空気調和機の吹出口から吹き出される気流の吹出範囲を示す説明図であり、図５は本発明による空気調和機に備えたドレンパンの平面図であり、図６はドレンパンの裏面図である。
【００１４】
本発明による天井埋込型の空気調和機は、図１および図２に示すように、下面を開口する筐体１と、この筐体１の内部に設ける熱交換器６、送風機５およびドレンパン７と、このドレンパン７に対向して中央に吸込口１０ａを有し、同吸込口１０ａの周囲に長方形でなる吹出口１０ｂを有し、同吹出口１０ｂの短手方向への風向を変更する風向偏向板１０ｃを有し、前記筐体１の開口を閉塞する化粧パネル１０とを備えている。
【００１５】
本発明では、前記ドレンパン７は、前記吹出口１０ｂに連通する長方形の吹出通風口７ａを備えており、また、同吹出通風口７ａの長手方向の前方に気流の一部を偏向する偏向部が設けられてなることを特徴としている。
【００１６】
前記偏向部が設けられたことにより、前記吹出通風口７ａの長手方向の前方に気流の一部を偏向できるようになって、図４に実線で示す気流の吹出範囲Ａのように、前記吹出口１０ｂの長手方向の前方に向けて拡がるように吹き出されることになる。
【００１７】
これにより、気流が流れる吹出範囲Ａを前記吹出口１０ｂの前方の長手方向に拡げて被空調室全体に行き渡らせることが可能になって、被空調室全体の快適な空気調和を実現できるようになる。
【００１８】
なお、前記偏向部が設けられない場合には、図４に破線で示す気流の吹出範囲Ｂのように、前記吹出口１０ｂの長手方向の前方に向けて拡がることなく、同吹出通風口７ａの長手方向の両側部７ｈに沿って直線的に吹き出されることになる。
【００１９】
また、本発明では、前記ドレンパン７は、前記吹出口１０ｂに連通する吹出通風口７ａの中央部に補強用の支柱部７ｃを備えており、この支柱部７ｃを吹出空気が流れる方向に翼の形状としたことを特徴としている。
【００２０】
以下、本発明の空気調和機の構成を図１および図２を用いて詳細に説明する。
【００２１】
筐体１は、平面視で正方形であったものの四隅を欠落して八角形となした上面壁１ａと、この上面壁１ａの各辺部に沿って一体に設けられる側壁１ｂとからなり、前記筐体１の下面は開口している。
【００２２】
また、前記筐体１は、図示を省略した吊下げ手段によって天井裏２に吊下げ固定されており、前記筐体１の下面の開口が天井板３に設けられる開口部３ａと対向している。更に前記筐体１には、その上面壁１ａおよび側壁１ｂの一部のそれぞれ内面に断熱材４が密着して取り付けられている。
【００２３】
前記筐体１の上面壁１ａの中央部の内面には、送風機５を構成するファンモータ５ｍが取り付けられている。このファンモータ５ｍの軸方向は垂直方向に向けられ、下方に突出する回転軸５ａにファン５ｆが取り付けられている。このファン５ｆは、前記ファンモータ５ｍにより同軸駆動されると、この軸方向である下部側から空気を吸い込んで、周方向に吹き出す送風機能を有している。
【００２４】
更に、前記送風機５を中心に、その周囲を囲むように熱交換器６が配置されているため、この熱交換器６は、平面視で略正方形となっており、前記送風機５のファン５ｆから吹き出される風を受ける位置に配置されている。
【００２５】
なお、前記熱交換器６は、図示を省略した室外ユニットに配置される圧縮機や室外熱交換器などと冷凍サイクルを構成するよう冷媒配管６ａを介して接続されている。
【００２６】
また、前記熱交換器６は前記筐体１の下端の開口に断熱材４を介して嵌め込まれるドレンパン７の受け部上に載置されて、このドレンパン７と前記筐体１の上面部１ａとの間に断熱材４を介して支持されている。
【００２７】
すなわち、前記熱交換器６の上端面は前記筐体１の上面壁１ａに前記断熱材４を介して密着し、前記熱交換器６の下端面は前記ドレンパン７に密着している。
【００２８】
そして、前記ドレンパン７は、４つの辺部の内側に４つの吹出通風口７ａが形成され、中心部にベルマウス９が取り付けられる吸込開口部８が形成されている。また、前記吹出通風口７ａの中央部に補強用の支柱部７ｃが形成されている。
【００２９】
更に、前記ドレンパン７は、平面視で正方形であったものの四隅を欠落して八角形となすように角部７ｂが形成され、前記筐体１の上面部１ａと側面部１ｂによる成形に対応するようになっている。
【００３０】
前記ドレンパン７は、前記筐体１の側壁１ｂに前記断熱材４を介して嵌め込まれており、前記ドレンパン７の吹出通風口７ａには、前記送風機５のファン５ｆから吹き出され、前記熱交換器６により熱交換された空気を導入するようになっている。
【００３１】
前記ベルマウス９は、上端に円形の吸込基部９ａが形成され、下端に前記ドレンパン７の吸込開口部８に対応する開口部９ｂが形成され、前記吸込基部９ａから前記開口部９ｂまで徐々に拡大する傾斜面を有している。このベルマウス９の吸込基部９ａは、前記送風機５のファン５ｆと近接した位置に対向して配置されている。
【００３２】
また、前記化粧パネル１０は平面視で略正方形となっており、前記筐体１の下端の開口を閉塞するようになっている。この化粧パネル１０は、天井板３から室内Ｒに露出する位置にあって、中央部に略正方形の吸込口１０ａが設けられ、この周辺部に４つの長方形の吹出口１０ｂが設けられている。
【００３３】
更に、前記化粧パネル１０の吸込口１０ａは、前記ベルマウス９の開口部、吸込グリル１１の順に取り付けられている。
【００３４】
このように構成された天井埋込型空気調和機によれば、前記送風機５の作用によって前記化粧パネル１０の吸込口１０ａから吸い込まれた室内空気は、一次側空気として前記ベルマウス９の開口部９ｂに導入され、かつ、前記ベルマウス９の傾斜面から吸込基部９ａに向かって案内され、前記送風機５のファン５ｆに導入されるようになっている。
【００３５】
一方、前記化粧パネル１０の吹出口１０ｂは前記ドレンパン７の吹出通風口７ａと対向して連通するように設けられ、前記熱交換器６により熱交換された空気は、二次側空気として前記吹出通風口７ａを介して前記吹出口１０ｂに導入され、同吹出口１０ｂから室内Ｒに吹き出されるようになっている。
【００３６】
次に、図３乃至図６を用いて、前記化粧パネル１０に隣接するように配置される前記ドレンパン７について具体的に説明する。
【００３７】
図３および図４に示すように、前記ドレンパン７は主に前記筐体１の側壁１ｂの内面に沿う平面視で略八角形の発泡スチロールなどの断熱部材からなるものである。前記ドレンパン７は吸込開口部８と、４つの吹出通風口７ａと、同吹出通風口７ａの長手方向の両側壁７ｈに設けられ、同吹出通風口７ａの長手方向の前方に気流の一部を偏向するための上述した偏向部と、結露水受け溝７ｉとを備え、前記吸込開口部８は平面視で中央に形成された略正方形の開口からなる構成となっている。
【００３８】
４つの前記吹出通風口７ａはそれぞれ前記筐体１の側壁１ｂの内面に沿って形成された横長の四方形の開口からなっている。更に、前記吹出通風口７ａの中央部には、同吹出通風口７ａの周囲を補強するための補強用の支柱部７ｃを一体成形している。
【００３９】
前記結露水受け溝７ｇは主に、前記吸込開口部８と４つの前記吹出通風口７ａとの間に形成され、前記熱交換器６の下端が挿入可能な略Ｕ字形状で、且つ、平面視で略環状の溝となっている。
【００４０】
前記結露水受け溝７ｇは平面視で前記熱交換器６の下端が挿入される前記吸込開口部８を囲むように形成された主溝部７ｇａと、角部７ｂにおいて主溝部７ｇｂから主溝部７ｇａを介して連通されるように形成されたコーナ溝７ｇｃとから構成されている。ドレンポンプ配置溝７ｇｂには、結露水受け溝７ｇに溜まった結露水を筐体１の外部に排水する図示を省略したドレンポンプが配置されている。
【００４１】
なお、前記ドレンパン７は、金型内でスチロール樹脂を発泡させることによって形成するとき、前記角部７ｂに配置される天井吊下げ用の取付金具７ｄ、前記吸込開口部８の周縁部に配置されるベルマウス９の取付金具７ｅおよびドレンポンプ配置溝７ｇｂに形成されるドレン排水管７ｆが一体成形されたものとなっている。
【実施例１】
【００４２】
次に、これまで説明してきた本発明の特徴であって、前記ドレンパン７に備えた前記吹出口１０ｂに連通する長方形の吹出通風口７ａについて詳細に説明する。
【００４３】
前記吹出通風口７ａは、図３（Ａ）および図３（Ｂ）に基づいて上述したように、同吹出通風口７ａの長手方向の両側壁７ｈに、気流の一部を偏向する偏向部が設けられた構成になっている。
【００４４】
前記偏向部は、実施例１として図３（Ａ）および図３（Ｂ）に示すように、前記吹出通風口７ａの長手方向の両側壁７ｈに設けられ、上下の中央部を膨出した膨出部からなる構成にしている。
【００４５】
これによって、図３（Ｂ）に示す矢印ａのように、前記膨出部に沿って気流が流れるコアンダ効果により、図４に実線で示す気流の吹出範囲Ａのように吹き出されることになるので、前記吹出口１０ｂの前方の長手方向に気流を拡げて被空調室全体に行き渡らせることが可能になる。
【実施例２】
【００４６】
また、前記偏向部は、実施例２として図３（Ｃ）に示すように、前記吹出通風口７ａの長手方向の両側壁７ｈの少なくとも一部を、前記吹出口１０ｂに向けて拡開した拡開部からなる構成にしてもよい。
【００４７】
これによって、実施例１の場合と同様に、図３（Ｃ）に示す矢印ａのように、前記吹出口１０ｂに向けて拡開した拡開部に沿って気流が流れるコアンダ効果により、図４に実線で示す気流の吹出範囲Ａのように吹き出されることになるので、前記吹出口１０ｂの前方の長手方向に気流を拡げて被空調室全体に行き渡らせることが可能になる。
【図面の簡単な説明】
【００４８】
【図１】本発明による空気調和機の分解斜視図である。
【図２】本発明による空気調和機を組立状態にした図１に示すＡ−Ａ位置の断面図である。
【図３】本発明による空気調和機の要部説明図で、（Ａ）は組立状態にした図１に示すＢ−Ｂ位置の断面図であり、（Ｂ）は一例を示す拡大断面図であり、（Ｃ）は他の例を示す拡大断面図である。
【図４】本発明による空気調和機の吹出口から吹き出される気流の吹出範囲を示す説明図である。
【図５】本発明による空気調和機に備えたドレンパンの平面図である。
【図６】本発明による空気調和機に備えたドレンパンの裏面図である。
【図７】従来例による空気調和機の要部断面図である。
【符号の説明】
【００４９】
１  筐体
１ａ  上面壁
１ｂ  側壁
２  天井裏
３  天井板
３ａ  開口部
４  断熱材
５  送風機
５ａ  回転軸
５ｆ  ファン
５ｍ  ファンモータ
６  熱交換器
６ａ  冷媒配管
７  ドレンパン
７ａ  吹出通風口
７ｂ  角部
７ｃ  支柱部
７ｄ  取付金具
７ｅ  取付金具
７ｆ  ドレン排水管
７ｇ  結露水受け部
７ｇａ  主溝部
７ｇｂ  ドレンポンプ配置溝
７ｇｃ  コーナ溝
７ｈ  両側壁
８  吸込開口部
９  ベルマウス
９ａ  吸込基部
９ｂ  開口部
１０  化粧パネル
１０ａ  吸込口
１０ｂ  吹出口
１０ｃ  風向偏向板
１１  吸込グリル
１２  フィルタ
Ｒ  室内
【図１】
2008249162.tif 000003
【図２】
2008249162.tif 000004
【図３】
2008249162.tif 000005
【図４】
2008249162.tif 000006
【図５】
2008249162.tif 000007
【図６】
2008249162.tif 000008
【図７】
2008249162.tif 000009